(57)【特許請求の範囲】
【請求項１】
長手方向の中央に路面中心位置を表示し、路面横断方向の長さ表示用目盛りを有する路面幅方向測定杆と、該測定杆の所定位置で路面に垂直に立設して路面からの高さを表示する一対の垂直方向測定杆とから構成され、トンネル内に取り付ける照明器具の取り付け位置を決定する照明器具取付け位置決定用治具。
【請求項２】
前記路面幅方向測定杆及び垂直方向測定杆は、夫々路面上を移動する移動手段を備えたことを特徴とする請求項１記載のトンネル内の照明器具取付け位置決定用治具。
【請求項３】
トンネル内に取り付ける照明器具の取り付け位置決定方法であって、トンネル内の路面の横断方向に路面幅方向測定杆を載置し、該測定杆に表示した路面中央位置と前記トンネル内の路面中央線とを合わせる手段と、該路面幅方向測定杆の長手方向の少なくとも２ヵ所の位置にて前記路面に対して垂直方向に垂直方向測定杆を立設させて、予め決定された高さに水糸を張設してトンネルの壁面に固定する手段と、該水糸が固定された壁面位置にて照明器具の取り付け中心位置を決定する手段とからなり、前記路面幅方向測定杆及び垂直方向測定杆をトンネル内の路面中央位置に合わせて照明器具の取り付け間隔毎に移動し、該移動させた路面幅方向測定杆の少なくとも２ヵ所の位置にて前記複数の垂直方向測定杆を路面に対して垂直に立設させて、トンネル内の照明器具取り付け位置を決定することを特徴とするトンネル内の照明器具取付け位置決定方法。
【請求項４】
前記照明器具の取り付け中心位置を決定する手段に加えて、該照明器具の照明光軸点を前記路面幅方向測定杆上に表示して、照明器具の取り付け角度を補正する手段を備えたことを特徴とする請求項３記載のトンネル内の照明器具取付け位置決定方法。
【発明の詳細な説明】
【技術分野】
【０００１】
本発明は、トンネル内に取り付ける照明器具の取り付け位置を墨だしして、取り付け位置を決定する方法およびこれに使用する治具に関するものである。
【背景技術】
【０００２】
従来、トンネル内で墨だし方法としては、作業者が梯子、脚立などの乗って錘の付いた糸等を垂下し、この糸の長さ等を測定することによって路面、地上からの一定の高さの内壁にマーキングすることによって、墨だし作業が行なわれていた。
【０００３】
しかし、この方法では、多大の時間と労力を要し、効率の良い作業とはいえず、しかも作業者のよるバラツキや路面の凹凸による誤差が生じ、照明器具の取り付け品質も満足できるものではなかった。
【０００４】
そこで、レーザー光線を射出してこれを常にターゲット板で受光するようにしながら、ターゲット板と一定距離にある適宜のマーキング手段によって照明器具等の取付位置を決定して、墨出作業を行なう方法が提案されている（特許文献１参照。）。
【０００５】
【特許文献１】特開昭６２−５１２２号公報
【発明の開示】
【発明が解決しようとする課題】
【０００６】
しかしながら、上記特許文献１に提案されている技術は、直線のトンネル内においてのみ適合できる技術であり、カーブや横断方向の傾斜あるトンネル内における墨出作業に関しては何らの技術的な開示もないものであった。しかも、レーザー光線を照射して位置決めを行なうため、レーザー装置自身の位置決めに時間が掛かるという問題もあった。
【０００７】
上記の問題点に鑑み本発明者らは、上記従来の複雑な装置を必要とせずに、簡易な治具の使用によって、効率よく照明器具の取付位置を決定できるトンネル内の照明器具取付け方法およびこれに使用する治具を提供するに至った。
【課題を解決するための手段】
【０００８】
このため本発明のトンネル内の照明器具取付け位置決定用治具は、長手方向の中央に路面中心位置を表示し、路面横断方向の長さ表示用目盛りを有する路面幅方向測定杆と、該測定杆の所定位置で路面に垂直に立設して路面からの高さを表示する一対の垂直方向測定杆とから構成されることを特徴とする。
【０００９】
また、前記路面幅方向測定杆及び垂直方向測定杆は、夫々路面上を移動する移動手段を備えたことを特徴とする。
【００１０】
そして、本発明のトンネル内の照明器具取付け位置決定方法は、トンネル内の路面の横断方向に路面幅方向測定杆を載置し、該測定杆に表示した路面中央位置と前記トンネル内の路面中央線とを合わせる手段と、該路面幅方向測定杆の長手方向の少なくとも２ヵ所の位置にて路面に対して垂直方向に垂直方向測定杆を立設させて、予め決定された高さに水糸を張設してトンネルの壁面に固定する手段と、該水糸が固定された壁面位置にて照明器具の取り付け中心位置を決定する手段とからなり、前記路面幅方向測定杆及び垂直方向測定杆をトンネル内の路面中央位置に合わせて照明器具の取り付け間隔毎に移動し、該移動させた路面幅方向測定杆の少なくとも２ヵ所の位置にて前記複数の垂直方向測定杆を路面に対して垂直に立設させて、トンネル内の照明器具取り付け位置を決定することを特徴とする。
【００１１】
さらに、前記照明器具の取り付け中心位置を決定する手段に加えて、該照明器具の照明光軸点を前記路面幅方向測定杆上に表示して、照明器具の取り付け角度を補正する手段を備えたことを特徴とする。
【発明の効果】
【００１２】
本発明に係るトンネル内の照明器具取付け位置決定用治具によれば、長手方向の中央に路面中心位置を表示し、路面横断方向の長さを表示する目盛りを有する路面幅方向測定杆と、該測定杆の所定位置で路面に垂直に立設して路面からの高さを表示する一対の垂直方向測定杆とから構成され、さらに路面上を移動する移動手段を備えているため、トンネル内の路面の中央位置に沿いながら移動して、確実に照明器具の取付け位置を決定することができるという効果を有する。
【００１３】
しかも、本発明の照明器具取付け位置決定用治具を使用して、トンネル内を移動しながら照明器具の取付位置を決定する方法であれば、常に路面の中央位置からトンネルの壁面に対する幅方向及び高さ位置を決定するため、路面の歪みやカーブがあっても、予め設計された設計値に沿った、取付位置を決定することができ、さらに照明器具の取付角度の調節も可能であるという優れた効果を有する。
【発明を実施するための最良の形態】
【００１４】
以下、本発明を実施例を示す図面を参照しながら説明するが、本発明が本実施例に限定されないことは言うまでもない。図１は、本発明のトンネル内の照明器具取付け位置決定方法に使用する治具の一実施例を示す説明図、図２は本発明のトンネル内の照明器具取付け方法を示す説明図、図３は本発明のトンネル内の照明器具取付け方法を示す説明図、図４は照明器具取付位置に照明器具取付器具を取り付けた状態を示す斜視図、図５は照明器具の光軸の確認方法を示す図である。
【実施例】
【００１５】
図１に示すように、本発明のトンネル内の照明器具取付け位置決定用治具１は、長手方向の中央位置に路面中心位置２が表示された路面幅方向測定杆３と、基台４を有し路面から垂直方向に延びる垂直方向測定杆５とから構成され、路面幅方向測定杆３及び垂直方向測定杆５は夫々剛性を有する素材（例えばアルミニウム合金など）から形成されている。そして、路面幅方向測定杆３の表面には長さ表示用の目盛り６が形成されている。
【００１６】
また、路面幅方向測定杆３は長手方向の所定位置で折り曲げ可能なヒンジ部（図示せず）が設けられ、このヒンジ部を介して折畳まれて持ち運び自在とされており、さらに垂直方向測定杆５の基台４にはストッパー付き車輪（図示せず）が設けられトンネル内の路面横断方向及び長手方向に移動自在とされている。
【００１７】
上記の構成からなる本発明の照明器具取付け位置決定用治具１は、極めてシンプルな構成からなり、トンネル内を移動自在であると共に、複雑な位置決め作業を必要とせず容易に照明器具取付け位置を決定することができる。
【００１８】
次に、上記の構成からなるトンネル内の照明器具取付け位置決定用治具１を使用した、照明器具取付け位置決定方法について図に従って詳細に説明する。
【００１９】
図１に示すように、トンネル内の路面７は、路面中心線８から横断方向に向かって夫々勾配を形成している。そこで、図２に示すように路面７のに対して直角方向に路面幅方向測定杆３を載置して、その路面中心位置２を路面中心線８に合わせる。次に、路面幅方向測定杆３と路面７の横断方向接地面において等距離の隙間部９を形成する２ヵ所の位置で基台４を介して垂直方向測定杆５を夫々立設させる。図３は、一対の垂直方向測定杆５を夫々立設させた状態を示している。図に示すように垂直方向測定杆５の近傍には高所作業車１０を配置して人手によって各垂直方向測定杆５の照明器具取付高さ位置に対応する箇所に印を付け、さらにこの印を通過させながら水糸１１を張設してトンネル壁に取り付け、照明器具取付位置１２を決定する。
【００２０】
図４は上記の決定された照明器具取付位置１２に照明器具取付器具１３を取り付けた状態を示している。照明器具取付器具１３は予めトンネル壁の曲面に対応して形成されており、照明器具位置１４を通過する水糸１１に合わせて取付け位置を調節されてボルト１５によって取り付けられている。
【００２１】
次に、上記の工程によって取り付けられた照明器具取付器具１３から、路面７に載置した路面幅方向測定杆３に表示した光軸点１６まで水糸１１を斜めに帳設し、この水糸１１と照明器具取付位置１４との位置合わせを行いながら取付角度が調節される（図５参照。）。
【００２２】
以上の構成からなる、本発明のトンネル内の照明器具取付け方法をトンネルの一端口から他端口まで、上述した照明器具取付け位置決定用治具１を用いて行なうことによって、トンネル内の路面の歪みやカーブがあっても、予め設計された設計値に沿った、取付位置を決定することができる。
【図面の簡単な説明】
【００２３】
【図１】本発明に係るトンネル内の照明器具取付け位置決定方法に使用する治具の一実施例を示す説明図である。
【図２】本発明のトンネル内の照明器具取付け方法を示す説明図である。
【図３】本発明のトンネル内の照明器具取付け方法を示す説明図である。
【図４】照明器具取付位置に照明器具取付器具を取り付けた状態を示す斜視図である。
【図５】照明器具の光軸の確認方法を示す図である。
【符号の説明】
【００２４】
１              照明器具取付け位置決定用治具
２              路面中心位置
３              路面幅方向測定杆
４              基台
５              垂直方向測定杆
６              目盛り
７              路面
８              路面中心線
９              隙間部
１０              高所作業車
１１              水糸
１２              照明器具取付位置
１３              照明器具取付器具
１４              照明器具位置
１５              ボルト
１６              光軸点
【図１】
0005167513.tif 000002
【図２】
0005167513.tif 000003
【図３】
0005167513.tif 000004
【図４】
0005167513.tif 000005
【図５】
0005167513.tif 000006